(57)【要約】      （修正有）【課題】新規に定義された誤り訂正符号が使用されていることを無線フレームにおいて特定可能とする。【解決手段】通信装置（ＡＰ１０２、ＳＴＡ１０３〜１０５）は、通信可能範囲１０１において、物理レイヤ（ＰＨＹ）のプリアンブルとデータフィールドとを有する無線フレームを送信または受信する。プリアンブルは、Ｌ−ＳＴＦと、Ｌ−ＬＴＦと、Ｌ−ＳＩＧと、ＥＨＴ−ＳＩＧと、ＥＨＴ−ＳＴＦと、ＥＨＴ−ＬＴＦと、を含む。ＥＨＴ−ＳＩＧとデータフィールドに含まれるＭＡＣフレームとの少なくともいずれかは、データフィールドに含まれるデータの伝送において使用された、３種類以上の誤り訂正符号化方法のうちの１つの誤り訂正符号化方法を示すフィールドを含む。【選択図】図１
2020182180.tif 000002
【特許請求の範囲】
【請求項１】
物理レイヤ（ＰＨＹ）のプリアンブルとデータフィールドとを有する無線フレームを送信または受信する通信手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧと前記データフィールドに含まれるＭＡＣフレームとの少なくともいずれかは、前記データフィールドに含まれるデータの伝送において使用可能な３種類以上の誤り訂正符号化方法のうちの、当該データを符号化する際に用いられた１つの誤り訂正符号化方法を示すフィールドを含む、
ことを特徴とする通信装置。
【請求項２】
前記誤り訂正符号化方法を示すフィールドは、シングルユーザ通信のための前記無線フレームにおける前記ＥＨＴ−ＳＩＧに含まれるＥＨＴ−ＳＩＧ−Ａにおける２ビット以上のフィールドである、ことを特徴とする請求項１に記載の通信装置。
【請求項３】
前記誤り訂正符号化方法を示すフィールドは、マルチユーザ通信のための前記無線フレームにおける前記ＥＨＴ−ＳＩＧに含まれるＥＨＴ−ＳＩＧ−Ｂにおける２ビット以上のフィールドである、ことを特徴とする請求項１に記載の通信装置。
【請求項４】
前記誤り訂正符号化方法を示すフィールドは、前記マルチユーザ通信におけるユーザごとに設定される、ことを特徴とする請求項３に記載の通信装置。
【請求項５】
前記３種類以上の誤り訂正符号化方法は、バイナリ畳み込み符号、低密度パリティ検査符号、Ｔｕｒｂｏ符号、Ｐｏｌａｒ符号、ＢＣＨ符号、Ｇｏｌａｙ符号、リード・ソロモン符号の少なくともいずれかを含む、ことを特徴とする請求項１から４のいずれか１項に記載の通信装置。
【請求項６】
前記無線フレームは、ＥＨＴ  ＳＵ（Ｓｉｎｇｌｅ  Ｕｓｅｒ）  ＰＰＤＵ（Ｐｈｙｓｉｃａｌ  ｌａｙｅｒ  Ｐｒｏｔｏｃｏｌ  Ｄａｔａ  Ｕｎｉｔ）と、ＥＨＴ  ＥＲ（Ｅｘｔｅｎｄｅｄ  Ｒａｎｇｅ）  ＳＵ  ＰＰＤＵと、ＥＨＴ  ＭＵ（Ｍｕｌｔｉ  Ｕｓｅｒ）  ＰＰＤＵと、のいずれかであることを特徴とする請求項１から５のいずれか１項に記載の通信装置。
【請求項７】
物理レイヤ（ＰＨＹ）のプリアンブルとデータフィールドとを有する無線フレームを生成する生成手段を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧと前記データフィールドに含まれるＭＡＣフレームとの少なくともいずれかは、前記データフィールドに含まれるデータの伝送において使用可能な３種類以上の誤り訂正符号化方法のうちの、当該データを符号化する際に用いられた１つの誤り訂正符号化方法を示すフィールドを含む、
ことを特徴とする情報処理装置。
【請求項８】
通信装置によって実行される通信方法であって、
物理レイヤ（ＰＨＹ）のプリアンブルとデータフィールドとを有する無線フレームを送信または受信する通信工程を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧと前記データフィールドに含まれるＭＡＣフレームとの少なくともいずれかは、前記データフィールドに含まれるデータの伝送において使用可能な３種類以上の誤り訂正符号化方法のうちの、当該データを符号化する際に用いられた１つの誤り訂正符号化方法を示すフィールドを含む、
ことを特徴とする通信方法。
【請求項９】
情報処理装置によって実行される制御方法であって、
物理レイヤ（ＰＨＹ）のプリアンブルとデータフィールドとを有する無線フレームを生成する生成工程を有し、
前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、
前記ＥＨＴ−ＳＩＧと前記データフィールドに含まれるＭＡＣフレームとの少なくともいずれかは、前記データフィールドに含まれるデータの伝送において使用可能な３種類以上の誤り訂正符号化方法のうちの、当該データを符号化する際に用いられた１つの誤り訂正符号化方法を
示すフィールドを含む、
ことを特徴とする制御方法。
【請求項１０】
コンピュータを、請求項１から６のいずれか１項に記載の通信装置または請求項７に記載の情報処理装置として機能させるためのプログラム。
【発明の詳細な説明】
【技術分野】
【０００１】
本発明は、無線ＬＡＮにおける通信制御技術に関する。
【背景技術】
【０００２】
無線ＬＡＮ（Ｗｉｒｅｌｅｓｓ  Ｌｏｃａｌ  Ａｒｅａ  Ｎｅｔｗｏｒｋ）に関する通信規格として、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格が知られている。ＩＥＥＥ８０２．１１規格シリーズのうちの最新規格であるＩＥＥＥ８０２．１１ａｘ規格では、ＯＦＤＭＡ（直交周波数分割多元接続）を用いて、高いピークスループットに加え、混雑状況下での通信速度向上を実現している（特許文献１参照）。
【０００３】
現在、さらなるスループット向上のために、ＩＥＥＥ８０２．１１ａｘの後継規格として、ＩＥＥＥ８０２．１１ＥＨＴ（Ｅｘｔｒｅｍｅｌｙｌｙ  Ｈｉｇｈ  Ｔｈｒｏｕｇｈｐｕｔ）と呼ばれるＳｔｕｄｙ  Ｇｒｏｕｐが結成されている。ＥＨＴでは、ＳＮＲ（Ｓｉｇｎａｌ  ｔｏ  Ｎｏｉｓｅ  Ｒａｔｉｏ）等の無線品質が低い状態においても十分なスループットを得るために、従来使用されていない誤り訂正符号を導入することが検討されている。
【先行技術文献】
【特許文献】
【０００４】
【特許文献１】特開２０１８−０５０１３３号公報
【発明の概要】
【発明が解決しようとする課題】
【０００５】
無線フレームを受信した通信装置が、その無線フレームによるデータ伝送において使用されている誤り訂正符号の種類を迅速に確認することが有用である。一方、従来の規格において使用されていない新たに導入される種類の誤り訂正符号については、その使用の有無を通信装置間で通知する仕組みが存在しない。
【０００６】
本発明は、新規に定義された誤り訂正符号が使用されていることを無線フレームにおいて特定可能とする技術を提供する。
【課題を解決するための手段】
【０００７】
本発明の一態様による通信装置は、物理レイヤ（ＰＨＹ）のプリアンブルとデータフィールドとを有する無線フレームを送信または受信する通信手段を有し、前記プリアンブルは、Ｌ−ＳＴＦ（Ｌｅｇａｃｙ  Ｓｈｏｒｔ  Ｔｒａｉｎｉｎｇ  Ｆｉｅｌｄ）と、Ｌ−ＬＴＦ（Ｌｅｇａｃｙ  Ｌｏｎｇ  Ｔｒａｉｎｉｎｇ  Ｆｉｅｌｄ）と、Ｌ−ＳＩＧ（Ｌｅｇａｃｙ  Ｓｉｇｎａｌ  Ｆｉｅｌｄ）と、ＥＨＴ−ＳＩＧ（Ｅｘｔｒｅｍｅｌｙ  Ｈｉｇｈ  Ｔｈｒｏｕｇｈｐｕｔ  Ｓｉｇｎａｌ  Ｆｉｅｌｄ）と、ＥＨＴ−ＳＴＦ（ＥＨＴ  Ｓｈｏｒｔ  Ｔｒａｉｎｉｎｇ  Ｆｉｅｌｄ）と、ＥＨＴ−ＬＴＦ（ＥＨＴ  Ｌｏｎｇ  Ｔｒａｉｎｉｎｇ  Ｆｉｅｌｄ）と、を含み、前記ＥＨＴ−ＳＩＧと前記データフィールドに含まれるＭＡＣフレームとの少なくともいずれかは、前記データフィールドに含まれるデータの伝送において使用可能な３種類以上の誤り訂正符号化方法のうちの、当該データを符号化する際に用いられた１つの誤り訂正符号化方法を示すフィールドを含む、ことを特徴とする。
【発明の効果】
【０００８】
本発明によれば、新規に定義された誤り訂正符号が使用されていることを無線フレームにおいて特定可能とすることができる。
【図面の簡単な説明】
【０００９】
【図１】無線通信ネットワークの構成例を示す図である。
【図２】通信装置のハードウェア構成例を示す図である。
【図３】通信装置の機能構成例を示す図である。
【図４】ＥＨＴ  ＳＵ  ＰＰＤＵのＰＨＹフレーム構造の例を示す図である。
【図５】ＥＨＴ  ＥＲ  ＰＰＤＵのＰＨＹフレーム構造の例を示す図である。
【図６】ＥＨＴ  ＭＵ  ＰＰＤＵのＰＨＹフレーム構造の例を示す図である。
【図７】ＭＡＣフレームフォーマットの構成例を示す図である。
【図８】ＨＴ  Ｃｏｎｔｒｏｌフィールドの構成例を示す図である。
【図９】ＥＨＴ  ｖａｒｉａｎｔのＡ−Ｃｏｎｔｒｏｌフィールドの構成例を示す図である。
【図１０】Ｃｏｎｔｒｏｌサブフィールドの構成例を示す図である。
【図１１】ＥＨＴ  ｌｉｎｋ  ａｄａｐｔａｔｉｏｎのＣｏｎｔｒｏｌ  Ｉｎｆｏｒｍａｔｉｏｎサブフィールドの構成例を示す図である。
【図１２】Ｕｎｓｏｌｉｃｉｔｅｄ  ＭＦＢサブフィールドが１の場合の、ＭＳＩ／Ｐａｒｔｉａｌ  ＰＰＤＵ  Ｐａｒａｍｅｔｅｒｓサブフィールドの構成例を示す図である。
【図１３】無線フレームを送信する装置が実行する処理の流れの例を示す図である。
【図１４】無線フレームを受信する装置が実行する処理の流れの例を示す図である。
【発明を実施するための形態】
【００１０】
以下、添付図面を参照して実施形態を詳しく説明する。なお、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
（ネットワーク構成）
図１に、本実施形態の無線通信ネットワークの構成例を示す。本無線通信ネットワークは、１台のアクセスポイント（ＡＰ）と３台のステーション（ＳＴＡ）とを含んで構成される。ここで、ＡＰ１０２とＳＴＡ１０３〜ＳＴＡ１０５は、ＩＥＥＥ８０２．１１ＥＨＴ（Ｅｘｔｒｅｍｅｌｙ  Ｈｉｇｈ  Ｔｈｒｏｕｇｈｐｕｔ）に準拠しており、ＩＥＥＥ８０２．１１ＥＨＴ規格以前に策定された規格に準拠した無線通信を実行可能に構成される。なお、ＩＥＥＥ８０２．１１ＥＨＴという名称は便宜上設けられたものであり、規格が確定した状態において別の名称となりうるが、本明細書及び添付の特許請求の範囲は、後述の処理をサポートしうるすべての規格をカバーすることを予定している。以下では、特定の装置を指さない場合等において、参照番号を付さずに、アクセスポイントを「ＡＰ」と呼び、ステーション（端末）を「ＳＴＡ」と呼ぶ場合がある。なお、図１では、一例として１台のＡＰと３台のＳＴＡとを含んだ無線通信ネットワークを示しているが、これらの通信装置の台数は、図示されるより多くても少なくてもよい。一例において、ＳＴＡ同士の通信が行われる場合、ＡＰが存在しなくてもよい。図１では、ＡＰ１０２が形成するネットワークの通信可能範囲が円１０１によって示されている。なお、この通信可能範囲は、より広い範囲をカバーしてもよいし、より狭い範囲のみをカバーしてもよい。なお、ＥＨＴは、Ｅｘｔｒｅｍｅ  Ｈｉｇｈ  Ｔｈｒｏｕｇｈｐｕｔの頭字語と解されてもよい。
【００１２】
（装置の構成）
図２は、通信装置（ＡＰ及びＳＴＡ）のハードウェア構成例を示す。通信装置は、そのハードウェア構成の一例として、記憶部２０１、制御部２０２、機能部２０３、入力部２０４、出力部２０５、通信部２０６、及びアンテナ２０７を有する。
【００１３】
記憶部２０１は、ＲＯＭ、ＲＡＭの両方、または、いずれか一方により構成され、後述する各種動作を行うためのプログラムや、無線通信のための通信パラメータ等の各種情報を記憶する。なお、記憶部２０１として、ＲＯＭ、ＲＡＭ等のメモリの他に、フレキシブルディスク、ハードディスク、光ディスク、光磁気ディスク、ＣＤ−ＲＯＭ、ＣＤ−Ｒ、磁気テープ、不揮発性のメモリカード、ＤＶＤなどの記憶媒体が用いられてもよい。
【００１４】
制御部２０２は、例えば、ＣＰＵやＭＰＵ等の１つ以上のプロセッサ、ＡＳＩＣ（特定用途向け集積回路）、ＤＳＰ（デジタルシグナルプロセッサ）、ＦＰＧＡ（フィールドプログラマブルゲートアレイ）等により構成される。ここで、ＣＰＵはＣｅｎｔｒａｌ  Ｐｒｏｃｅｓｓｉｎｇ  Ｕｎｉｔの、ＭＰＵは、Ｍｉｃｒｏ  Ｐｒｏｃｅｓｓｉｎｇ  Ｕｎｉｔの頭字語である。制御部２０２は、記憶部２０１に記憶されたプログラムを実行することにより装置全体を制御する。なお、制御部２０２は、記憶部２０１に記憶されたプログラムとＯＳ（Ｏｐｅｒａｔｉｎｇ  Ｓｙｓｔｅｍ）との協働により装置全体を制御するようにしてもよい。
【００１５】
また、制御部２０２は、機能部２０３を制御して、撮像や印刷、投影等の所定の処理を実行する。機能部２０３は、装置が所定の処理を実行するためのハードウェアである。例えば、装置がカメラである場合、機能部２０３は撮像部であり、撮像処理を行う。また、例えば、装置がプリンタである場合、機能部２０３は印刷部であり、印刷処理を行う。また、例えば、装置がプロジェクタである場合、機能部２０３は投影部であり、投影処理を行う。機能部２０３が処理するデータは、記憶部２０１に記憶されているデータであってもよいし、後述する通信部２０６を介して他のＡＰやＳＴＡと通信したデータであってもよい。
【００１６】
入力部２０４は、ユーザからの各種操作の受付を行う。出力部２０５は、ユーザに対して各種出力を行う。ここで、出力部２０５による出力とは、例えば、画面上への表示や、スピーカによる音声出力、振動出力等の少なくとも１つを含む。なお、タッチパネルのように入力部２０４と出力部２０５の両方を１つのモジュールで実現するようにしてもよい。
【００１７】
通信部２０６は、ＩＥＥＥ８０２．１１規格シリーズに準拠した無線通信の制御や、ＩＰ通信の制御を行う。通信部２０６は、いわゆる無線チップであり、それ自体が１つ以上のプロセッサやメモリを含んでいてもよい。本実施形態では、通信部２０６は、少なくともＩＥＥＥ８０２．１１ＥＨＴ規格に準拠した処理を実行することができる。また、通信部２０６はアンテナ２０７を制御して、無線通信のための無線信号の送受信を行う。装置は、通信部２０６を介して、画像データや文書データ、映像データ等のコンテンツを他の通信装置と通信する。アンテナ２０７は、例えば、サブＧＨｚ帯、２．４ＧＨｚ帯、５ＧＨｚ帯、及び６ＧＨｚ帯の少なくともいずれかを送受信可能なアンテナである。なお、アンテナ２０７によって対応可能な周波数帯（及びその組み合わせ）については特に限定されない。アンテナ２０７は、１本のアンテナであってもよいし、ＭＩＭＯ（Ｍｕｌｔｉ−Ｉｎｐｕｔ  ａｎｄ  Ｍｕｌｔｉ−Ｏｕｔｐｕｔ）送受信を行うための２本以上のアンテナのセットであってもよい。例えば、アンテナ２０７は、ＩＥＥＥ８０２．１１ＥＨＴ規格の１６空間ストリームでのＭＩＭＯ通信に対応するために、１６本のアンテナ素子を含んで構成されうる。
【００１８】
図３に、通信装置（ＡＰ及びＳＴＡ）の機能構成例を示す。通信装置は、一例として、プリアンブル生成部３０１、ＭＡＣフレーム生成部３０２、スキャン処理部３０３、接続処理部３０４、符号化方法決定部３０５、及びデータ送受信部３０６を有する。
【００１９】
プリアンブル生成部３０１は、通信装置が生成する無線フレームのＰＨＹ（物理レイヤ）ヘッダを生成する。ＭＡＣフレーム生成部３０２は、通信装置が送信する無線フレームのＭＡＣ（媒体アクセス制御）フレームを生成する。プリアンブル生成部３０１とＭＡＣフレーム生成部３０２との少なくともいずれかは、それぞれ、無線フレームで使用される符号化の種類を示す情報が格納されたＰＨＹプリアンブル及び／又はＭＡＣフレームを生成する。ここでの無線フレームは、ユーザデータの送受信用のデータフレームである。ただし、これに限られず、無線フレームは、例えば、Ｂｅａｃｏｎフレーム、Ｐｒｏｂｅ  Ｒｅｑｕｅｓｔフレーム、及びＰｒｏｂｅ  Ｒｅｓｐｏｎｓｅフレームのいずれかを含んでもよい。また、無線フレームは、Ａｓｓｏｃｉａｔｉｏｎ  Ｒｅｑｕｅｓｔフレーム、Ａｓｓｏｃｉａｔｉｏｎ  Ｒｅｓｐｏｎｓｅフレームのいずれかを含んでもよい。さらに、無線フレームは、Ｒｅａｓｓｏｃｉａｔｉｏｎ  Ｒｅｑｕｅｓｔフレーム、Ｒｅａｓｓｏｃｉａｔｉｏｎ  Ｒｅｓｐｏｎｓｅフレームのいずれかを含んでもよい。すなわち、制御用の無線フレームとユーザデータを送信するための無線フレームとのいずれにおいて誤り訂正符号に関する情報を含んでもよい。なお、接続制御用の無線フレームでは、その無線フレームで使用されている誤り訂正符号の種類が通知されてもよいし、その後のユーザデータの通信のための無線フレームで使用される誤り訂正符号の種類が通知されてもよい。また、接続制御用の無線フレームでは、その無線フレームを送信する通信装置が使用可能な誤り訂正符号の種類が通知されてもよい。これによれば、通信装置と相手装置とが共に使用可能な誤り訂正符号化方法を確認し、その使用可能な誤り訂正符号のうちのいずれかを用いて通信を行うことが可能となる。また、ユーザデータを送信するための無線フレームでは、例えば、その無線フレームで使用されている誤り訂正符号の種類が通知されうる。
【００２０】
スキャン処理部３０３は、ＳＴＡがＡＰのネットワーク情報を取得するための処理を実行する。例えば、通信装置がＳＴＡである場合、スキャン処理部３０３は、周囲のＡＰからのＢｅａｃｏｎフレームを受信し、また、Ｐｒｏｂｅ  Ｒｅｑｕｅｓｔフレームを送信して、ＡＰからＰｒｏｂｅ  Ｒｅｓｐｏｎｓｅフレームを受信する処理を実行する。また、通信装置がＡＰである場合、スキャン処理部３０３は、Ｂｅａｃｏｎフレームを送信し、また、ＳＴＡからＰｒｏｂｅ  Ｒｅｑｕｅｓｔフレームを受信した場合にＰｒｏｂｅ  Ｒｅｓｐｏｎｓｅフレームを送信する処理を実行する。接続処理部３０４は、ＳＴＡがＡＰの管理するネットワークへ接続するための処理を行う。接続処理部３０４は、通信装置がＳＴＡである場合、Ａｓｓｏｃｉａｔｉｏｎ  ＲｅｑｕｅｓｔフレームをＡＰへ送信し、ＡＰからＡｓｓｏｃｉａｔｉｏｎ  Ｒｅｓｐｏｎｓｅフレームを受信する。また、接続処理部３０４は、通信装置がＡＰである場合、ＳＴＡからＡｓｓｏｃｉａｔｉｏｎ  Ｒｅｑｕｅｓｔフレームを受信すると、そのフレームへの応答としてＡｓｓｏｃｉａｔｉｏｎ  ＲｅｓｐｏｎｓｅフレームをＳＴＡへ送信する。
【００２１】
符号化方法決定部３０５は、通信に使用する誤り訂正符号の種類を決定する。データ送受信部３０６は、符号化方法決定部３０５において決定された種類の誤り訂正符号によって符号化されたデータを含んだデータフレームを送信する。また、データ送受信部３０６は、例えば接続制御時に示された、又は受信したデータフレームにおいて示された、誤り訂正符号に対応する復号方法で、無線フレーム内のデータを復号する。
【００２２】
なお、本実施形態では、符号化方法決定部３０５は、ＢＣＣ（バイナリ畳み込み符号）、ＬＤＰＣ（低密度パリティ検査符号）、Ｔｕｒｂｏ符号、及び、Ｐｏｌａｒ符号のいずれかを、使用する誤り訂正符号として決定しうる。ただし、これに限られず、例えば、ＢＣＨ符号、Ｇｏｌａｙ符号、リード・ソロモン符号などの他の誤り訂正符号化方法が、上述の４種類の符号化方法に代えて、又はこれらに加えて、使用されてもよい。
【００２３】
（フレーム構造）
ＩＥＥＥ８０２．１１ＥＨＴ規格で用いられる無線フレーム（ＰＰＤＵ、Ｐｈｙｓｉｃａｌ  ｌａｙｅｒ  （ＰＨＹ）  Ｐｒｏｔｏｃｏｌ  Ｄａｔａ  Ｕｎｉｔ）の例を図４〜図６に示す。図４は、シングルユーザ通信用のＰＰＤＵであるＥＨＴ  ＳＵ（Ｓｉｎｇｌｅ  Ｕｓｅｒ）  ＰＰＤＵの例を示し、図５は、長距離伝送用のＥＨＴ  ＥＲ（Ｅｘｔｅｎｄｅｄ  Ｒａｎｇｅ）  ＳＵ  ＰＰＤＵの例を示している。ＥＨＴ  ＥＲ  ＳＵ  ＰＰＤＵは、ＡＰと単一のＳＴＡとの間での通信において、通信範囲を拡張すべき場合に用いられる。また、図６は、マルチユーザ通信用のＥＨＴ  ＭＵ（Ｍｕｌｔｉ  Ｕｓｅｒ）  ＰＰＤＵの例を示している。
【００２４】
ＰＰＤＵは、ＳＴＦ（Ｓｈｏｒｔ  Ｔｒａｉｎｉｎｇ  Ｆｉｅｌｄ）、ＬＴＦ（Ｌｏｎｇ  Ｔｒａｉｎｉｎｇ  Ｆｉｅｌｄ）、ＳＩＧ（Ｓｉｇｎａｌ  Ｆｉｅｌｄ）の各フィールドを含む。図４に示すように、ＰＰＤＵ先頭部には、ＩＥＥＥ８０２．１１ａ／ｂ／ｇ／ｎ／ａｘ規格に対して後方互換性を確保するための、Ｌ（Ｌｅｇａｃｙ）−ＳＴＦ４０１、Ｌ−ＬＴＦ４０２、及びＬ−ＳＩＧ４０３を有する。なお、図５及び図６のフレームフォーマットにおいても、Ｌ−ＳＴＦ（Ｌ−ＳＴＦ５０１、６０１）、Ｌ−ＬＴＦ（Ｌ−ＬＴＦ５０２、６０２）、Ｌ−ＳＩＧ（Ｌ−ＳＩＧ５０３、６０３）が含まれる。なお、Ｌ−ＬＴＦはＬ−ＳＴＦの直後に配置され、Ｌ−ＳＩＧはＬ−ＬＴＦの直後に配置される。なお、図４〜図６の構成では、さらに、Ｌ−ＳＩＧの直後に配置されるＲＬ−ＳＩＧ（Ｒｅｐｅａｔｅｄ  Ｌ−ＳＩＧ、ＲＬ−ＳＩＧ４０４、５０４、６０４）が含まれる。ＲＬ−ＳＩＧフィールドでは、Ｌ−ＳＩＧの内容が繰り返し送信される。ＲＬ−ＳＩＧは、ＩＥＥＥ８０２．１１ａｘ規格以降の規格に準拠したＰＰＤＵであることを受信者が認識することができるようにするものであり、場合によってはＩＥＥＥ８０２．１１ＥＨＴにおいては省略されてもよい。また、ＲＬ−ＳＩＧに代えて、ＩＥＥＥ８０２．１１ＥＨＴのＰＰＤＵであることを受信者が認識可能とするためのフィールドが設けられてもよい。
【００２５】
Ｌ−ＳＴＦ４０１は、物理レイヤ（ＰＨＹ）フレーム信号の検出、自動利得制御（ＡＧＣ：Ａｕｔｏｍａｔｉｃ  Ｇａｉｎ  Ｃｏｎｔｒｏｌ）やタイミング検出などに用いられる。Ｌ−ＬＴＦ４０２は、周波数・時刻の高精度な同期や伝搬チャネル情報（ＣＳＩ：ｃｈａｎｎｎｅｌ  ｓｔａｔｅ  ｉｎｆｏｒｍａｔｉｏｎ）の取得等に用いられる。Ｌ−ＳＩＧ４０３は、物理層データレート、ＭＣＳ（変調及び符号化方式）、ＰＨＹフレーム長等の情報を含んだ制御情報を送信するために用いられる。ＩＥＥＥ８０２．１１ａ／ｂ／ｇ／ｎ／ａｘ規格に従うレガシー機器（Ｎｏｎ−ＥＨＴ機器）は、上記各種レガシーフィールドを復号することができる。
【００２６】
各ＰＰＤＵは、さらに、ＲＬ−ＳＩＧの直後に配置される、ＥＨＴ用の制御情報を送信するためのＥＨＴ−ＳＩＧ（ＥＨＴ−ＳＩＧ−Ａ４０５、ＥＨＴ−ＳＩＧ−Ａ５０５、ＥＨＴ−ＳＩＧ−Ａ６０５、ＥＨＴ−ＳＩＧ−Ｂ６０６）を含む。ＥＨＴ−ＳＩＧフィールドは、ＥＨＴ  ＰＰＤＵの受信処理に用いられる。また、各ＰＰＤＵは、ＥＨＴ用のＳＴＦ（ＥＨＴ−ＳＴＦ４０６、５０６、６０７）、ＥＨＴ用のＬＴＦ（ＥＨＴ−ＬＴＦ４０７、５０７、６０８）を有する。各ＰＰＤＵでは、これらの制御用のフィールドの後にデータフィールド４０８、５０８、６０９と、Ｐａｃｋｅｔ  ｅｘｔｅｎｔｉｏｎフィールド４０９、５０９、６１０を有する。各ＰＰＤＵのＬ−ＳＴＦからＥＨＴ−ＬＴＦまでのフィールドが、ＰＨＹプリアンブルと呼ばれる。なお、ＰＰＤＵの各フィールドは、必ずしも図４〜図６に示す順番に並んでいなくてもよいし、図４〜図６に示していない新規のフィールドを含んでいてもよい。
【００２７】
なお、図４〜図６は、一例として、後方互換性を確保可能なＰＰＤＵを示しているが、後方互換性を確保する必要がない場合には、例えば、レガシーフィールドが省略されてもよい。この場合、例えば、同期の確立のために、Ｌ−ＳＴＦ及びＬ−ＬＴＦに代えて、ＥＨＴ−ＳＴＦやＥＨＴ−ＬＴＦが用いられる。そして、この場合、ＥＨＴ−ＳＩＧフィールドの後のＥＨＴ−ＳＴＦや複数のＥＨＴ−ＬＴＦのうちの１つが省略されうる。
【００２８】
ＥＨＴ  ＳＵ  ＰＰＤＵ及びＥＨＴ  ＥＲ  ＳＵ  ＰＰＤＵに含まれるＥＨＴ−ＳＩＧ−Ａ４０５及び５０５は、以下の表１及び表２に示すように、ＰＰＤＵの受信に必要なＥＨＴ−ＳＩＧ−Ａ１とＥＨＴ−ＳＩＧ−Ａ２とを含む。本実施形態では、そのＰＰＤＵにおけるデータフィールドに含まれるデータの伝送において使用される誤り訂正符号の種類を、ＥＨＴ−ＳＩＧ−Ａ２のＣｏｄｉｎｇサブフィールドによって示す。一例において、Ｃｏｄｉｎｇサブフィールドの値「０」がＢＣＣに、値「１」がＬＤＰＣに、値「２」がＴｕｒｂｏ符号に、値「３」がＰｏｌａｒ符号に、それぞれ対応する。なお、ＢＣＣ、ＬＤＰＣ、Ｔｕｒｂｏ符号、Ｐｏｌａｒ符号は一例であり、これら以外の符号化方法が用いられてもよい。また、本実施形態では、Ｃｏｄｉｎｇサブフィールドに２ビットが割り当てられている例を示しているが、これより多くのビット数が割り当てられてもよい。この場合、例えば、ＢＣＣ、ＬＤＰＣ、Ｔｕｒｂｏ符号、Ｐｏｌａｒ符号に加えて、ＢＣＨ符号、Ｇｏｌａｙ符号、リード・ソロモン符号などの他の符号を指定することが可能となる。また、以下の例では、ＥＨＴ−ＳＩＧ−Ａ２の８ビット目〜９ビット目（Ｂ７〜Ｂ８）をＣｏｄｉｎｇサブフィールドとして使用する例を示しているが、これに限られない。例えば、ＥＨＴ−ＳＩＧ−Ａ２の８ビット目（Ｂ７）と１５ビット目（Ｂ１４）など、他の位置のビットがＣｏｄｉｎｇサブフィールドとして使用されてもよい。この場合、例えば、８ビット目と１３ビット目との組み合わせによって４通りの値が示されうる。また、ＥＨＴ−ＳＩＧ−Ａ１の１５ビット目（Ｂ１４）等によってさらなる情報が示されてもよい。
【００２９】
【表１】
2020182180.tif 000003
【００３０】
【表２】
2020182180.tif 000004
【００３１】
また、図６のＥＨＴ  ＭＵ  ＰＰＤＵのＥＨＴ−ＳＩＧ−Ａ６０５は、以下の表３及び表４に示すように、ＰＰＤＵの受信に必要なＥＨＴ−ＳＩＧ−Ａ１とＥＨＴ−ＳＩＧ−Ａ２とを含む。さらに、ＥＨＴ−ＳＩＧ−Ｂ６０６は表５、表６に示すように、ＰＰＤＵの受信に必要なＣｏｍｍｏｎ  ｆｉｅｌｄとＵｓｅｒ  Ｂｌｏｃｋ  ｆｉｅｌｄで構成される情報を含んでいる。表６に示すように、Ｕｓｅｒ  Ｂｌｏｃｋ  ｆｉｅｌｄはＵｓｅｒ  ｆｉｅｌｄを含んで構成され、Ｕｓｅｒ  ｆｉｅｌｄは、Ｎｏｎ−ＭＵ−ＭＩＭＯ  ａｌｌｏｃａｔｉｏｎであるかＭＵ  ＭＩＭＯ  ａｌｌｏｃａｔｉｏｎであるかに応じて内容が異なる。Ｎｏｎ−ＭＵ−ＭＩＭＯ  ａｌｌｏｃａｔｉｏｎとＭＵ  ＭＩＭＯ  ａｌｌｏｃａｔｉｏｎの場合のＵｓｅｒ  ｆｉｅｌｄの内容を、図７及び図８に示す。本実施形態では、図７及び図８のように、そのＰＰＤＵにおけるデータフィールドに含まれるデータの伝送において使用される誤り訂正符号の種類を、Ｕｓｅｒ  ｆｉｅｌｄの２ビットのＣｏｄｉｎｇサブフィールドで示す。一例において、Ｃｏｄｉｎｇサブフィールドの値「０」がＢＣＣに、値「１」がＬＤＰＣに、値「２」がＴｕｒｂｏ符号に、値「３」がＰｏｌａｒ符号に、それぞれ対応する。なお、ＢＣＣ、ＬＤＰＣ、Ｔｕｒｂｏ符号、Ｐｏｌａｒ符号は一例であり、これら以外の符号化方法が用いられてもよい。また、本実施形態では、Ｃｏｄｉｎｇサブフィールドに２ビットが割り当てられている例を示しているが、これより多くのビット数が割り当てられてもよい。この場合、例えば、ＢＣＣ、ＬＤＰＣ、Ｔｕｒｂｏ符号、Ｐｏｌａｒ符号に加えて、ＢＣＨ符号、Ｇｏｌａｙ符号、リード・ソロモン符号などの他の符号を指定することが可能となる。また、以下の例では、Ｕｓｅｒ  ｆｉｅｌｄの２１ビット目〜２２ビット目（Ｂ２０〜Ｂ２１）をＣｏｄｉｎｇサブフィールドとして使用する例を示しているが、これに限られない。すなわち、ビット位置は一例に過ぎず、表７及び表８とは異なるビット位置のビットがＣｏｄｉｎｇサブフィールドに用いられてもよい。
【００３２】
【表３】
2020182180.tif 000005
【００３３】
【表４】
2020182180.tif 000006
【００３４】
【表５】
2020182180.tif 000007
【００３５】
【表６】
2020182180.tif 000008
【００３６】
【表７】
2020182180.tif 000009
【００３７】
【表８】
2020182180.tif 000010
【００３８】
上述のようにして、ＰＨＹプリアンブルによって、無線フレームで使用される誤り訂正符号の種類が提示される。これにより、この無線フレームの復号を、使用されている誤り訂正符号に対応する適切な復号方法を用いて実行することが可能となる。
【００３９】
なお、上述のＰＨＹプリアンブルでの情報の提示に代えて、又は、これに加えて、データフィールドに含まれるＭＡＣ（媒体アクセス制御）フレーム（ＭＡＣヘッダ）によって、使用される誤り訂正符号の種類が示されてもよい。ＭＡＣフレームは、ＭＡＣヘッダと、ＭＡＣデータとを含んで構成され、ＭＡＣヘッダは、ＭＡＣフレームの先頭に配置され、ＭＡＣ層での制御のための情報を含む。図７に、ＩＥＥＥ８０２．１１  ＥＨＴ規格で用いられるＭＡＣフレームのフォーマットの例を示す。図７の例は、従来のＩＥＥＥ８０２．１１ｎ／ａ／ｂ／ｇ／ａｃ／ａｘの規格と同様のフレームフォーマットが用いられる場合の例を示しているが、これとは異なるであるフォーマットが用いられてもよい。本実施形態では、一例として、図７に示すフレームフォーマットのうち、ＨＴ  Ｃｏｎｔｒｏｌフィールド７１０を用いて誤り訂正符号の種類が提示される。
【００４０】
ＨＴ  Ｃｏｎｔｒｏｌフィールドの構成を図８に示す。ＨＴ  Ｃｏｎｔｒｏｌフィールドは、ＨＴ  ｖａｒｉａｎｔ、ＶＨＴ  ｖａｒｉａｎｔ、ＨＥ  ｖａｒｉａｎｔ、ＥＨＴ  ｖａｒｉａｎｔの４つの形態を有する。これらの形態は、それぞれＶＨＴサブフィールド、ＨＥサブフィールド、ＥＨＴサブフィールドの値によって区別される。すなわち、ＶＨＴサブフィールドが「０」に設定されていることによって、ＨＴ  ｖａｒｉａｎｔの形態のＨＴ  Ｃｏｎｔｒｏｌフィールドであることが特定される。同様に、ＶＨＴサブフィールドが「１」でＨＥサブフィールドが「０」に設定されていることによって、ＶＨＴ  ｖａｒｉａｎｔの形態のＨＴ  Ｃｏｎｔｒｏｌフィールドであることが特定される。また、ＶＨＴサブフィールドが「１」で、ＨＥサブフィールドが「１」で、ＥＨＴサブフィールドが「０」に設定されていることによって、ＨＥ  ｖａｒｉａｎｔの形態のＨＴ  Ｃｏｎｔｒｏｌフィールドであることが特定される。また、ＶＨＴサブフィールドが「１」で、ＨＥサブフィールドが「１」で、ＥＨＴサブフィールドが「１」に設定されていることによって、ＥＨＴ  ｖａｒｉａｎｔの形態のＨＴ  Ｃｏｎｔｒｏｌフィールドであることが特定される。本実施形態に係る、ＥＨＴの誤り訂正符号の通知には、ＥＨＴ  ｖａｒｉａｎｔが用いられる。ＥＨＴ  ｖａｒｉａｎｔのＡ−Ｃｏｎｔｒｏｌサブフィールドと、これに含まれるＣｏｎｔｒｏｌサブフィールドの構成を図９及び図１０に示す。Ａ−Ｃｏｎｔｒｏｌサブフィールドには、１つ以上のＣｏｎｔｒｏｌサブフィールドが含まれる。すなわち、Ａ−Ｃｏｎｔｒｏｌサブフィールドは、１つのＣｏｎｔｒｏｌサブフィールド９０１を含み、オプションとして、２つ目以降のＣｏｎｔｒｏｌサブフィールド９０２を含む。Ｃｏｎｔｒｏｌサブフィールド９０１〜９０２は、それぞれ、図１０に示すように、Ｃｏｎｔｒｏｌ  ＩＤサブフィールド１００１とＣｏｎｔｒｏｌ  Ｉｎｆｏｒｍａｔｉｏｎサブフィールド１００２を含んで構成される。Ｃｏｎｔｒｏｌ  ＩＤサブフィールド１００１は、３ビットでのフィールドであり、このサブフィールドに設定される値によって、表９のように、Ｃｏｎｔｒｏｌサブフィールドの内容が特定される。
【００４１】
【表９】
2020182180.tif 000011
【００４２】
本実施形態に係る、ＥＨＴの誤り訂正符号の通知の際には、ＥＨＴ  ｌｉｎｋ  ａｄａｐｔａｔｉｏｎを意味する「２」がＣｏｎｔｒｏｌ  ＩＤサブフィールド１００１に設定される。ＥＨＴ  ｌｉｎｋ  ａｄａｐｔａｔｉｏｎが指定された際の、Ｃｏｎｔｒｏｌ  Ｉｎｆｏｒｍａｔｉｏｎサブフィールド１００２の構成を図１１に示す。誤り訂正符号の種類が通知される際には、Ｃｏｎｔｒｏｌ  Ｉｎｆｏｒｍａｔｉｏｎサブフィールド１００２において、Ｕｎｓｏｌｉｃｉｔｅｄ  ＭＦＢ１１０１が「１」に設定される。そして、ＭＳＩ／Ｐａｒｔｉａｌ  ＰＰＤＵ  Ｐａｒａｍｅｔｅｒｓサブフィールド１１０８によって、誤り訂正符号の種類が通知される。Ｕｎｓｏｌｉｃｉｔｅｄ  ＭＦＢが１の場合のＭＳＩ／Ｐａｒｔｉａｌ  ＰＰＤＵ  Ｐａｒａｍｅｔｅｒｓサブフィールドの構成と、そのサブフィールドに含まれる値の意味を図１２及び表１０に示す。
【００４３】
【表１０】
2020182180.tif 000012
【００４４】
図１２に示すように、Ｕｎｓｏｌｉｃｉｔｅｄ  ＭＦＢが１の場合のＭＳＩ／Ｐａｒｔｉａｌ  ＰＰＤＵ  Ｐａｒａｍｅｔｅｒｓサブフィールドは、ＰＰＤＵ  Ｆｏｒｍａｔサブフィールド１２０１とＣｏｄｉｎｇ  Ｔｙｐｅサブフィールド１２０２を含む。ＰＰＤＵ  Ｆｏｒｍａｔサブフィールド１２０１の値により、ＰＰＤＵが、ＥＨＴ  ＳＵ  ＰＰＤＵ、ＥＨＴ  ＥＲ  ＰＰＤＵ  が「０」の場合は、ＰＰＤＵがＥＨＴ  ＳＵ  ＰＰＤＵであることを意味する。ＰＰＤＵ  Ｆｏｒｍａｔサブフィールドの値が１の場合は、ＰＰＤＵがＥＨＴ  ＭＵ  ＰＰＤＵであることを意味する。ＰＰＤＵ  Ｆｏｒｍａｔサブフィールドの値が２の場合は、ＰＰＤＵがＥＨＴ  ＥＲ  ＳＵ  ＰＰＤＵであることを意味する。ＰＰＤＵ  Ｆｏｒｍａｔサブフィールドの値が３の場合は、ＰＰＤＵがＥＨＴ  ＴＢ  ＰＰＤＵであることを意味する。Ｃｏｄｉｎｇ  Ｔｙｐｅサブフィールド１２０２は、ＰＰＤＵで使用されている誤り訂正符号の種類を示す。一例において、Ｃｏｄｉｎｇ  Ｔｙｐｅサブフィールド１２０２は、上述のように、ＢＣＣ、ＬＤＰＣ、Ｔｕｒｂｏ符号、Ｐｏｌａｒ符号を特定可能となるように２ビットのフィールドとして構成されうる。ただしこれに限られず、３ビット以上のフィールドを用意して、５種類以上の誤り訂正符号を特定するようにしてもよい。
【００４５】
以上のようにして、ＭＡＣフレーム（ＭＡＣヘッダ）によって、無線フレームで使用される誤り訂正符号の種類が提示される。これにより、この無線フレームの復号を、使用されている誤り訂正符号に対応する適切な復号方法を用いて実行することが可能となる。なお、上述のフィールドの名称や、ビットの位置・サイズはこの例に限定されず、同様の情報が、異なるフィールド名のフィールドに格納されてもよいし、情報の格納される順序やサイズが上述のものと異なってもよい。
【００４６】
（処理の流れ）
続いて、図１３及び図１４を用いて、通信装置が実行する処理の流れの例について説明する。図１３は、通信装置が無線フレームを送信する場合の処理の流れの例を示しており、図１４は、通信装置が無線フレームを受信した場合の処理の流れの例を示している。
【００４７】
図１３において、通信装置は、例えば自装置内に記憶されているデータやユーザ操作によって入力されたデータ等の、送信対象データを取得する（Ｓ１３０１）。そして、通信装置は、そのデータの送信の際に使用する誤り訂正符号化方法を決定する（Ｓ１３０２）。通信装置は、例えば、ＢＣＣ、ＬＤＰＣ、Ｔｕｒｂｏ符号、Ｐｏｌａｒ符号の中から、使用する誤り訂正符号を選択する。なお、通信装置は、例えば相手装置が使用可能な誤り訂正符号の種類に応じて、使用する誤り訂正符号化方法を決定してもよい。通信装置は、Ｓ１３０２で決定した種類の誤り訂正符号を用いて、送信対象データの誤り訂正符号化を実行する（Ｓ１３０３）。また、通信装置は、Ｓ１３０２で決定された誤り訂正符号の種類を示す情報を含めた、ＰＨＹプリアンブルとＭＡＣフレーム（ＭＡＣヘッダ）との少なくともいずれかを生成する（Ｓ１３０４）。そして、通信装置は、Ｓ１３０３で誤り訂正符号化されたデータと、Ｓ１３０４で生成されたＰＨＹプリアンブル／ＭＡＣヘッダとに基づいて、送信すべき無線フレームを生成し（Ｓ１３０５）、生成した無線フレームを送信する（Ｓ１３０６）。
【００４８】
図１４において、通信装置は、相手装置から無線フレームを受信する（Ｓ１４０１）と、その無線フレームのＰＨＹプリアンブル／ＭＡＣヘッダに基づいて、その無線フレームで送信されるデータに対して使用されている誤り訂正符号を特定する（Ｓ１４０２）。そして、通信装置は、その特定した誤り訂正符号に対応する復号方法で、データを復号する（Ｓ１４０３）。
【００４９】
このようにして、通信装置は、ＰＨＹプリアンブルとＭＡＣヘッダとの少なくともいずれかによって、無線フレーム内のデータに対する誤り訂正符号化方法を相手装置に通知することができる。また、通信装置は、相手装置から送信された無線フレームで使用されている誤り訂正符号化方法を、その無線フレームのＰＨＹプリアンブルとＭＡＣヘッダとの少なくともいずれかを解析することによって、特定することができる。このとき、２ビット以上のフィールドを用いて誤り訂正符号化方法を指定することにより、使用可能な３種類以上の誤り訂正符号化方法のうちの１つを指定することが可能となる。また、フィールドを予め大きく確保しておき、将来新たに使用可能となる誤り訂正符号化方法に対応することができるようにしておいてもよい。また、通信装置が相手装置と接続処理を実行中に複数の誤り訂正符号化方法のうち、使用可能性のある少数（例えば２つ）の誤り訂正符号を特定し、その後の通信では、使用する誤り訂正符号化方法を少数ビット（例えば１ビット）の情報で指定してもよい。この場合、通信装置と相手装置は、相互に使用可能な誤り訂正符号化方法の情報を交換し、共通して使用可能な誤り訂正符号のうちのいずれを使用可能とするかを、接続処理中に交渉してもよい。なお、使用すべき１つの誤り訂正符号化方法を接続処理中に交換しておくことにより、その後の通信においては誤り訂正符号化方法の情報が送信されないようにしてもよい。なお、通信装置であるＡＰ１０２やＳＴＡ１０３〜１０５の他、上記のＰＨＹプリアンブルとＭＡＣフレームとの少なくともいずれかを生成する情報処理装置（例えば、無線チップ）により、本発明を実施することも可能である。
【００５０】
なお、上述の実施形態では、ＰＨＹプリアンブルと、ＭＡＣフレームとのそれぞれが、無線フレームで使用されている誤り訂正符号の種類を指定する情報を含むように説明したが、これに限られない。例えば、ＰＨＹプリアンブルに、従来使用可能な誤り訂正符号（ＢＣＣ及びＬＤＰＣ）と異なる新たに定義された符号が使用されるか否かを示す１ビットの情報を含め、新たに定義された符号が使用される場合に、ＭＡＣフレームに詳細情報を含めてもよい。すなわち、ＰＨＹプリアンブルに格納された情報とＭＡＣフレームに格納された情報の両方に基づいて、無線フレームで使用されている誤り訂正符号が特定されるようにしてもよい。このようにすることにより、使用可能なビット数に制約がある条件でも、多種類の誤り訂正符号を特定するように情報を構成することが可能となる。
【００５１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００５２】
発明は上記実施形態に制限されるものではなく、発明の精神及び範囲から離脱することなく、様々な変更及び変形が可能である。従って、発明の範囲を公にするために請求項を添付する。
【符号の説明】
【００５３】
２０１：記憶部、２０２：制御部、２０６：通信部、２０７：アンテナ、３０１：プリアンブル生成部、３０２：ＭＡＣフレーム生成部、３０３：スキャン処理部、３０４：接続処理部、３０５：符号化方法決定部、３０６：データ送受信部
【図１】
2020182180.tif 000013
【図２】
2020182180.tif 000014
【図３】
2020182180.tif 000015
【図４】
2020182180.tif 000016
【図５】
2020182180.tif 000017
【図６】
2020182180.tif 000018
【図７】
2020182180.tif 000019
【図８】
2020182180.tif 000020
【図９】
2020182180.tif 000021
【図１０】
2020182180.tif 000022
【図１１】
2020182180.tif 000023
【図１２】
2020182180.tif 000024
【図１３】
2020182180.tif 000025
【図１４】
2020182180.tif 000026